(57)【要約】  コピー保護されたコンパクト・ディスクと該光ディスクを製造して無許可コピーを防止する方法とが提供される。一つの実施の形態においては、光ディスクにおけるリードイン・アイテムのうちの少なくとも１つのアイテムのコンテンツが均一でないように変更されるので、コピーされたディスクは有効にデータ破損されて再生不能になる。
2005512207.tif 000002
【特許請求の範囲】
【請求項１】
複数のサブコーディング・ブロックを有するリードインを含む少なくとも１つのセッションを有し、前記複数のサブコーディング・ブロックのそれぞれが少なくとも１つのポイント（ＰＴ）、Ａｄｒ／Ｃｔｒｌ、Ｐｍｉｎ、Ｐｓｅｃ及びＰｆｒａｍｅを含むチャネルＱでのアイテムを含む光ディスクであって、
前記複数のサブコーディング・ブロックのうちの少なくとも１つのサブコーディング・ブロックのポイントが、前記複数のサブコーディング・ブロックのうちの少なくとも１つの他のサブコーディング・ブロックのポイントと同一であり、
前記複数のサブコーディング・ブロックのうちの前記少なくとも１つのサブコーディング・ブロックのＡｄｒ／Ｃｔｒｌ、Ｐｍｉｎ、Ｐｓｅｃ及びＰｆｒａｍｅを含む群のうちの少なくとも１つの値が、前記複数のサブコーディング・ブロックのうちの少なくとも１つの他のサブコーディング・ブロックのＡｄｒ／Ｃｔｒｌ、Ｐｍｉｎ、Ｐｓｅｃ及びＰｆｒａｍｅの対応する群のうちの少なくとも１つの値とは異なる光ディスク。
【請求項２】
前記複数のサブコーディング・ブロックがアイテムの反復を含み、
前記アイテムの反復のうちの少なくとも１つのアイテムのＡｄｒ／Ｃｔｒｌ、Ｐｍｉｎ、Ｐｓｅｃ及びＰｆｒａｍｅを含む群のうちの少なくとも１つが変更される、
請求項１に記載の光ディスク。
【請求項３】
前記アイテムの反復のうちの前記１つのアイテムの制御データにおける値のうちの少なくとも１つの値が、誤解させる又は無効な値で置き換えられる、請求項２に記載の光ディスク。
【請求項４】
前記誤解させる又は無効な値が、ディスクのオーディオ部分がデータを含むという指示、又は、データがオーディオ部分を含むという指示を含む、請求項３に記載の光ディスク。
【請求項５】
前記誤解させるトリプレット又は無効トリプレットが、トラックの開始時間が無効である又は誤解させるという指示を含む、請求項３に記載の光ディスク。
【請求項６】
前記アイテムの反復のうちの前記１つのアイテムの巡回冗長検査（ＣＲＣ）の値のうちの少なくとも１つが、誤解させる又は無効な値で置き換えられる、請求項２に記載の光ディスク。
【請求項７】
前記複数のサブコーディング・ブロックが、コンテンツ・テーブル（ＴＯＣ）の連続する反復を含み、
前記コンテンツ・テーブル（ＴＯＣ）の反復のうちの１つのコンテンツ・テーブルのＡｄｒ／Ｃｔｒｌ、Ｐｍｉｎ、Ｐｓｅｃ及びＰｆｒａｍｅを含む群のうちの少なくとも１つにおける少なくとも１つのアイテムが、前記一連のコンテンツ・テーブル（ＴＯＣ）のうちの少なくとも１つの他のコンテンツ・テーブルにおける対応するアイテムとは異なる値を有する、
請求項１に記載の光ディスク。
【請求項８】
前記コンテンツ・テーブル（ＴＯＣ）の反復のうちの前記１つのコンテンツ・テーブル（ＴＯＣ）が、誤解させるトリプレット又は無効トリプレットを含む、請求項７に記載の光ディスク。
【請求項９】
前記誤解させるトリプレット又は無効トリプレットが、ディスクのオーディオ部分がデータを含むという指示、又は、データがオーディオ部分を含むという指示を含む、請求項８に記載の光ディスク。
【請求項１０】
前記誤解させるトリプレット又は無効トリプレットが、トラックの開始時間が無効である又は誤解させるという指示を含む、請求項８に記載の光ディスク。
【請求項１１】
前記誤解させるトリプレット又は無効トリプレットが、誤解させるポイント又は無効ポイントを含む、請求項８に記載の光ディスク。
【請求項１２】
前記誤解させるトリプレット又は無効トリプレットが、Ａｄｒ／Ｃｔｒｌフィールドを無効な値に設定することを含む、請求項８に記載の光ディスク。
【請求項１３】
前記コンテンツ・テーブル（ＴＯＣ）の反復のうちの前記１つのコンテンツ・テーブル（ＴＯＣ）が、有効トリプレットと無効トリプレットとが交互に並ぶ交互配置パターンを含む、請求項７に記載の光ディスク。
【請求項１４】
前記交互に並ぶ有効トリプレットがオーディオ・アイテムによって表され且つ前記無効トリプレットがデータ・アイテムによって表され、又は、前記有効トリプレットがデータ・アイテムによって表され且つ前記無効トリプレットがオーディオ・アイテムによって表される、請求項１３に記載の光ディスク。
【請求項１５】
前記パターンがランダム化される、請求項１３に記載の光ディスク。
【請求項１６】
各トラックが少なくとも１つのオーディオ及びデータ・アイテムによって表される、請求項１５に記載の光ディスク。
【請求項１７】
前記コンテンツ・テーブル（ＴＯＣ）の反復のうちの前記１つのコンテンツ・テーブル（ＴＯＣ）のポイントのうちの１つのポイントが均一である、請求項１５に記載の光ディスク。
【請求項１８】
前記コンテンツ・テーブル（ＴＯＣ）の反復のうちの前記１つのコンテンツ・テーブル（ＴＯＣ）が、少なくとも１つの誤解させるトリプレット又は無効トリプレットを含む群のうちの１つのトリプレットを含む、請求項７に記載の光ディスク。
【請求項１９】
前記複数のサブコーディング・ブロックが、アイテムの反復とコンテンツ・テーブル（ＴＯＣ）の連続した反復との組合せを含み、
前記アイテムの反復のうちの少なくとも１つのアイテムのＡｄｒ／Ｃｔｒｌ、Ｐｍｉｎ、Ｐｓｅｃ及びＰｆｒａｍｅを含む群のうちの少なくとも１つが変更され、
前記コンテンツ・テーブル（ＴＯＣ）の反復のうちの１つのコンテンツ・テーブル（ＴＯＣ）のＡｄｒ／Ｃｔｒｌ、Ｐｍｉｎ、Ｐｓｅｃ及びＰｆｒｍｅを含む群のうちの少なくとも１つにおける少なくとも１つのアイテムが、前記コンテンツ・テーブル（ＴＯＣ）の反復のうちの少なくとも１つの他のコンテンツ・テーブル（ＴＯＣ）における対応するアイテムとは異なる値を有する、
請求項１に記載の光ディスク。
【請求項２０】
前記複数のサブコーディング・ブロックが複数のゾーンを含み、それぞれの前記複数のゾーンに変更アルゴリズムが適用される、請求項１に記載の光ディスク。
【請求項２１】
前記複数のゾーンが、有効コンテンツ・テーブル（ＴＯＣ）と、無効コンテンツ・テーブル（ＴＯＣ）と、有効エントリと無効エントリとを交互に並べた交互配置パターンとを含む群と、少なくとも１つのデータ・トラック又は少なくとも１つの無効トリプレットを含む群のうちの１つとの任意の組合せを含み、
前記無効コンテンツ・テーブル（ＴＯＣ）が、コンテンツ・テーブル（ＴＯＣ）の反復のうちの少なくとも１つの他のコンテンツ・テーブル（ＴＯＣ）とは異なるコンテンツ・テーブル（ＴＯＣ）の反復を含む、請求項２０に記載の光ディスク。
【請求項２２】
Ａ０、Ａ１及びＡ２ポイントが、無効な又は誤解させる値を有する、請求項７に記載の光ディスク。
【請求項２３】
複数のマルチセッション・ポインタを有するマルチセッション・ディスクを更に含み、前記複数のマルチセッション・ポインタのうちの少なくとも１つが無効である又は誤解させる、請求項１に記載の光ディスク。
【請求項２４】
複数のマルチセッション・ポインタを有するマルチセッション・ディスクを更に含み、前記複数のマルチセッション・ポインタのうちの少なくとも１つが無効である又は誤解させる、請求項２０に記載の光ディスク。
【請求項２５】
前記光ディスクが、コンパクト・ディスク（ＣＤ）、追記型コンパクト・ディスク（ＣＤ−Ｒ）及びＣＤ書き換え可能コンパクト・ディスク（ＣＤ−ＲＷ）を含む群のうちの１つを含む、請求項１に記載の光ディスク。
【請求項２６】
光ディスクを無許可コピー行為から保護する方法であって、
複数のサブコーディング・ブロックを有するリードインを生成するステップであって、それぞれの前記複数のサブコーディング・ブロックが、少なくとも１つのポイント（ＰＴ）、Ａｄｒ／Ｃｔｒｌ、Ｐｍｉｎ、Ｐｓｅｃ及びＰｆｒａｍｅを含むアイテムを含むステップと、
前記複数のサブコーディング・ブロックのうちの前記少なくとも１つのサブコーディング・ブロックにおけるＡｄｒ／Ｃｔｒｌ、Ｐｍｉｎ、Ｐｓｅｃ及びＰｆｒａｍｅを含む群のうちの少なくとも１つの値を、前記複数のサブコーディング・ブロックのうちの前記少なくとも１つの他のサブコーディング・ブロックでのＡｄｒ／Ｃｔｒｌ、Ｐｍｉｎ、Ｐｓｅｃ及びＰｆｒａｍｅの対応する群のうちの少なくとも１つとは異なる値に変更するステップと、
を含む方法。
【請求項２７】
コンテンツ・テーブル（ＴＯＣ）の連続した反復を含む有効リードインを生成する方法であって、
コンテンツ・テーブル（ＴＯＣ）の前記の連続した反復によって指示されたプログラム・エリアのサブコーディング・ブロックを読み取るステップと、
前記プログラム・エリアの読み取りによって無効である又は誤解させると決定されたトリプレットを破棄するステップと、
を含む方法。
【請求項２８】
コンテンツ・テーブル（ＴＯＣ）の連続した反復を含む有効リードインを生成する方法であって、
ａ．プログラム・エリア全体を読み取るステップと、
ｂ．分析されているフレームのチャネルＱを読み取るステップと、
ｃ．分析されたフレームのトラック番号（ＴＮＯ）を前のフレームのトラック番号（ＴＮＯ）と比較するステップと、
ｄ．分析されたフレームのトラック番号（ＴＮＯ）の方が前のフレームのトラック番号（ＴＮＯ）より大きい場合、分析されたフレームの新しいトラック番号とＡＴｉｍｅを持つＴＯＣエントリを作成するステップと
を含む方法。
【発明の詳細な説明】
【技術分野】
【０００１】
本発明はコピー保護に関し、より詳細には、オーディオ・コンパクト・ディスク（ＣＤ）のコピー保護のための方法及びシステムに関する。
背景技術
コンピュータ・ソフトウェアとデジタル・オーディオの記録はどちらも一般的にコンパクト・ディスク（ＣＤ）に記録される。パーソナル・コンピュータ（ＰＣ）のようなコンピュータは、カープレーヤ、ブームボックス、ポータブル装置及びハイファイプレーヤ等の消費者向けＣＤ再生システムと異なる方法でオーディオＣＤを読み取る。
【０００２】
ＣＤは、ほぼ共通して以下の国際基準に従って作られている：
・国際標準化機構（ＩＳＯ）９６６０：情報処理―情報交換に関するＣＤ−ＲＯＭのボリューム及びファイル構造、ＩＳＯ標準１３４９０−１
・国際電気工学委員会（ＣＥＩ−ＩＥＣ）９０８（一般に「レッド・ブック」として知られるものに準拠）
・ＩＳＯ／ＩＥＣ  １０１４０（一般に「イエロー・ブック」として知られるものに準拠）。
【０００３】
コンパクト・ディスクに記録されたデータは誤り訂正機能を有するデジタル形式なので、コピー元であるオリジナル・ディスクの再生と区別のつかない忠実なコピーを作ることが可能である。更に、コンパクト・ディスクを製造するための装置は、スタンプされたディスクと記録されたディスクのどちらの場合も容易に使用可能であり、比較的安価である。したがって、コンパクト・ディスクの無許可の又は不法なコピーは、それだけ深刻な問題となってきている。
【０００４】
安価なコンピュータ・システムとＣＤレコーダを購入した消費者はオリジナルＣＤからコピーを作ることができ、その結果、著作権所有者から販売を奪うことになる。
それら無許可で記録されたディスク・コピーのますます増加する氾濫を抑えることができるのは、適切なコピー保護方法しかない。残念ながら、既存の従来技術によるコピー保護方法は、オーディオ・コンパクト・ディスクに関しては不適当であり且つ／又は不適切な効果しかない。
【０００５】
発明の要約
本願は、コピー保護されたコンパクト・ディスクと、該光ディスクを製造して無許可コピー行為を防止する方法とに関する。また、コピー保護のシステム及び方法はＣＤ−Ｒディスクを保護し、パーソナル・コンピュータ（ＰＣ）へ抽出されることを防止する。
【０００６】
したがって、本発明の一つの実施の形態によると、複数のサブコーディング・ブロックを有するリードインを含む少なくとも１つのセッションを有する光ディスクが提供される。複数のサブコーディング・ブロックのうちの各サブコーディング・ブロックは、少なくとも１つのポイント（ＰＴ）、Ａｄｒ／Ｃｔｒｌ、Ｐｍｉｎ、Ｐｓｅｃ及びＰｆｒａｍｅを含み得るチャネルＱでのアイテムを含む。複数のサブコーディング・ブロックのうちの少なくとも１つのサブコーディング・ブロックのポイントは、複数のサブコーディング・ブロックのうちの少なくとも１つの他のサブコーディング・ブロックにおけるポイントと同一であり、複数のサブコーディング・ブロックのうちの少なくとも１つのサブコーディング・ブロックにおけるＡｄｒ／Ｃｔｒｌ、Ｐｍｉｎ、Ｐｓｅｃ及びＰｆｒａｍｅを含む群のうちの少なくとも１つの値は、複数のサブコーディング・ブロックのうちの少なくとも１つの他のサブコーディング・ブロックでのＡｄｒ／Ｃｔｒｌ、Ｐｍｉｎ、Ｐｓｅｃ及びＰｆｒａｍｅの対応する群のうちの少なくとも１つの値とは異なっていてよい。
【０００７】
また、本発明の一つの実施の形態によると、複数のサブコーディング・ブロックはアイテムの反復を含むことができ、アイテムの反復のうちの少なくとも１つのアイテムのＡｄｒ／Ｃｔｒｌ、Ｐｍｉｎ、Ｐｓｅｃ及びＰｆｒａｍｅを含む群のうちの少なくとも１つを変更することができる。
【０００８】
また、本発明の一つの実施の形態によると、アイテムの反復のうちの１つのアイテムの制御データにおける値のうちの少なくとも１つの値を、誤解させる又は無効な値で置き換えることができる。誤解させる又は無効な値は、ディスクのオーディオ部分がデータを含むという指示、又はデータがオーディオ部分を含むという指示を含むことができる。代わりに、誤解させる又は無効な値はトラックの開始時間が無効である又は誤解させるものであることを示すことができる。
【０００９】
また、本発明の一つの実施の形態によると、アイテムの反復のうちの１つのアイテムの巡回冗長検査（ＣＲＣ）の値のうちの少なくとも１つは、誤解させる又は無効な値で置き換えられる。
【００１０】
加えて、本発明の一つの実施の形態によると、複数のサブコーディング・ブロックは、コンテンツ・テーブル（ＴＯＣ）の連続した反復を含むことができる。コンテンツ・テーブル（ＴＯＣ）の反復のうちの１つのコンテンツ・テーブルのＡｄｒ／Ｃｔｒｌ、Ｐｍｉｎ、Ｐｓｅｃ及びＰｆｒａｍｅを含む群のうちの少なくとも１つにおける少なくとも１つのアイテムは、コンテンツ・テーブル（ＴＯＣ）の反復のうちの少なくとも１つの他のコンテンツ・テーブルにおける対応するアイテムとは異なる値を有することができる。コンテンツ・テーブル（ＴＯＣ）の反復のうちの１つのコンテンツ・テーブル（ＴＯＣ）は、誤解させるトリプレット又は無効トリプレットを含むことができる。誤解させるトリプレット又は無効トリプレットは、ディスクのオーディオ部分がデータを含むという指示、又はデータがオーディオ部分を含むという指示を含み得る。或いは、誤解させる又は無効な値はトラックの開始時間が無効である又は誤解させることを示すことができる。
【００１１】
また、本発明の一つの実施の形態によると、誤解させるトリプレット又は無効トリプレットは、誤解させるポイント又は無効ポイントを含むことができる。或いは、誤解させるトリプレット又は無効トリプレットは、Ａｄｒフィールドを無効な値に設定することを含むことができる。
【００１２】
また、本発明の一つの実施の形態によると、コンテンツ・テーブル（ＴＯＣ）の反復のうちの１つのコンテンツ・テーブル（ＴＯＣ）は、有効トリプレットと無効トリプレットを交互に並べた交互配置パターンを含むことができる。交互に並べられた有効トリプレットと無効トリプレットとは、それぞれオーディオ・アイテムとデータ・アイテムによって表され、又は、有効トリプレットと無効トリプレットとは、それぞれデータ・アイテムとオーディオ・アイテムによって表される。或いは、このパターンをランダム化することができる。各トラックは少なくとも１つのオーディオと１つのデータとのアイテムによって表すことができる。
【００１３】
また、本発明の一つの実施の形態によると、コンテンツ・テーブル（ＴＯＣ）の反復のうちのポイントの１つを均一にすることができる。
更に、本発明の一つの実施の形態によると、コンテンツ・テーブル（ＴＯＣ）の反復のうちの１つのコンテンツ・テーブル（ＴＯＣ）は、少なくとも１つの誤解させるトリプレット又は無効トリプレットを含む群のうちの１つを含むことができる。
【００１４】
また、本発明の一つの実施の形態によると、複数のサブコーディング・ブロックは、アイテムの反復とコンテンツ・テーブル（ＴＯＣ）の連続した反復との組合せを含むことができる。アイテムの反復のうちの少なくとも１つのアイテムのＡｄｒ／Ｃｔｒｌ、Ｐｍｉｎ、Ｐｓｅｃ及びＰｆｒａｍｅを含む群のうちの１つを変更することができ、コンテンツ・テーブル（ＴＯＣ）の反復のうちの１つのコンテンツ・テーブル（ＴＯＣ）のＡｄｒ／Ｃｔｒｌ、Ｐｍｉｎ、Ｐｓｅｃ及びＰｆｒｍｅを含む群のうちの少なくとも１つにおける少なくとも１つのアイテムは、コンテンツ・テーブル（ＴＯＣ）の反復のうちの少なくとも１つの他のコンテンツ・テーブル（ＴＯＣ）における対応するアイテムとは異なる値を有することができる。
【００１５】
加えて、本発明の一つの実施の形態によると、複数のサブコーディング・ブロックは複数のゾーンを含むことができ、この複数のゾーンのそれぞれに変更アルゴリズムを適用することができる。複数のゾーンは、有効コンテンツ・テーブル（ＴＯＣ）、無効コンテンツ・テーブル（ＴＯＣ）、有効エントリと無効エントリを交互に並べた交互配置パターンを含む群と、少なくとも１つのデータ・トラック又は少なくとも１つの無効トリプレットを含む群のうちの１つとの任意の組合せを含むことができる。無効コンテンツ・テーブル（ＴＯＣ）は、コンテンツ・テーブル（ＴＯＣ）の反復のうちの少なくとも１つの他のコンテンツ・テーブル（ＴＯＣ）とは異なるコンテンツ・テーブル（ＴＯＣ）の反復を含むことができる。
【００１６】
また、本発明の一つの実施の形態によると、Ａ０、Ａ１及びＡ２ポイントは無効な又は誤解させる値を有することができる。
加えて、本発明の一つの実施の形態によると、光ディスクは、複数のマルチセッション・ポインタを有するマルチセッション・ディスクを含むことができ、複数のマルチセッション・ポインタのうちの少なくとも１つは無効ポインタ又は誤解させるポイントであってよい。代わりに、光ディスクは、複数のマルチセッション・ポインタを有するマルチセッション・ディスクを含むことができ、複数のマルチセッション・ポインタのうちの少なくとも１つは無効ポイント又は誤解させるポイントであってよい。
【００１７】
更に、本発明の一つの実施の形態によると、光ディスクは、コンパクト・ディスク（ＣＤ）、追記型コンパクト・ディスク（ＣＤ−Ｒ）及びＣＤ書き換え可能コンパクト・ディスク（ＣＤ−ＲＷ）を含む群のうちの１つを含むことができる。
【００１８】
加えて、本発明の一つの実施の形態によると、光ディスクを無許可コピー行為から保護する方法も提供される。この方法は、
複数のサブコーディング・ブロックを有するリードインを生成するステップであって、複数のサブコーディング・ブロックのそれぞれが少なくとも１つのポイント（ＰＴ）、Ａｄｒ／Ｃｔｒｌ、Ｐｍｉｎ、Ｐｓｅｃ及びＰｆｒａｍｅを有する１つのアイテムを含むステップと、
複数のサブコーディング・ブロックのうちの少なくとも１つのサブコーディング・ブロックのＡｄｒ／Ｃｔｒｌ、Ｐｍｉｎ、Ｐｓｅｃ及びＰｆｒａｍｅを含む群のうちの少なくとも１つの値を、複数のサブコーディング・ブロックのうちの少なくとも１つの他のサブコーディング・ブロックのＡｄｒ／Ｃｔｒｌ、Ｐｍｉｎ、Ｐｓｅｃ及びＰｆｒａｍｅの対応する群のうちの少なくとも１つとは異なる値に変更するステップと
を含む。
【００１９】
また、本発明の一つの実施の形態によると、コンテンツ・テーブル（ＴＯＣ）の連続した反復を含む有効リードインを生成する方法が提供される。この方法は、
コンテンツ・テーブル（ＴＯＣ）の連続した反復によって指示されたプログラム・エリアのサブコーディング・ブロックを読み取るステップと、
プログラム・エリアの読み取りによって決定された無効トリプレット又は誤解させるトリプレットを破棄するステップと
を含む。
【００２０】
最後に、本発明の一つの実施の形態によると、コンテンツ・テーブル（ＴＯＣ）の連続した反復を含む有効リードインを生成する更なる方法も提供される。この方法は、
プログラム・エリア全体を読み取るステップと、
分析されるべきフレームのチャネルＱを選択するステップと、
分析されたフレームのトラック番号（ＴＮＯ）を前のフレームのトラック番号（ＴＮＯ）と比較するステップと、
分析されたフレームのトラック番号（ＴＮＯ）の方が前のフレームのトラック番号（ＴＮＯ）より大きい場合、分析されたフレームの新しいトラック番号とＡＴｉｍｅとを持つＴＯＣエントリを作成するステップと、
を含む。
【００２１】
本明細書では、本発明を添付の図面を参照して一例としてのみ説明する。
用語の解説
本願では、以下の用語及び頭文字を使用する。
ＣＤ：  プレマスターされたディスク、ＣＤ−Ｒディスク及びＣＤ−ＲＷディスクを含むコンパクト・ディスク。
チャネルＱ：  単一の１２バイト構造として配列され、Ｓ０及びＳ１サブコーディング同期パターンによって区切られたサブコーディング・ブロックのビットｄ２。
ＣＲＣ：  巡回冗長検査。チャネルＱデータの有効性をチェックするチャネルＱのフィールド。
同一アイテム：  フィールドＣＴＲＬ、ＡＤＲ、ＰＯＩＮＴ、ＰＭＩＮ、ＰＳＥＣ及びＰＦＲＡＭＥにおいて同じ値を有するアイテム。
同一トリプレット：  フィールドＣＴＲＬ、ＡＤＲ、ＰＯＩＮＴ、ＰＭＩＮ、ＰＳＥＣ及びＰＦＲＡＭＥにおいて同じ値を有する２つのトリプレット。
同一ＴＯＣ：  第１のＴＯＣの各トリプレットが第２のＴＯＣの対応するトリプレットと同一である２つのＴＯＣ。
無効アイテム：  ＩＥＣ  ９０８の規則では正しく解釈することのできないアイテム。例えば、１、２又は５でないＡＤＲ値を有するアイテム、又は無効ＣＲＣを有するアイテム。
アイテム：  リードインのサブコーディング・ブロックのチャネルＱ。
リードイン（lead-in）：  チャネルＱにＴＯＣを含む、セッションのトラック０。
リードアウト（lead-out）：  セッションのトラックに続くセッションの制御部分。
誤解させるアイテム：  正しく解釈することができるが、そのＡＴＩＭＥフィールドで指示されるプログラム・エリア・フレームのチャネルＱのトラック番号、インデックス又は制御値と一致しないアイテム。
多様型：  均一でない。多様型トリプレットは少なくとも１つの無効な又は誤解させるアイテムを含んでいる。多様型リードインは、少なくとも２つの同一でないＴＯＣ又は均一でない１つのＴＯＣ内の少なくとも１つのトリプレットを有するリードインであると定義される。
ＰＴＩＭＥ：  ポイント時間。ＰＯＩＮＴの絶対開始時間。１つのアイテム内でＰＴＩＭＥは表１で定義されるフィールドＰＭＩＮからＰＦＲＡＭＥに符号化される。
セッション：  オーディオ又はデータ・トラック或いはこれら２つの組合せを含むＣＤのセクション。標準セッションはリードイン、少なくとも１つのトラック及びリードアウトを含んでいる。
ＴＯＣ（コンテンツ・テーブル）：  トラック・ポインタＡ０、Ａ１及びＡ２エントリ並びにアイテム内に封入された任意のマルチセッション・ポインタを含む、セッションの完全な記述を形成するのに必要とされる最低数のアイテム。ＴＯＣはセッションのリードインの終了まで反復される。
トラック：  ＣＤの単一のコンテンツ単位（プログラム・アイテム）。
トリプレット：  ＰＯＩＮＴ境界に続く３つの連続したリードイン・アイテム。
均一リードイン：  同一ＴＯＣのみからなるリードイン。
均一ＴＯＣ：  同一トリプレットのみからなるＴＯＣ。
均一トリプレット：  ３つの同一アイテムからなるトリプレット。
【００２２】
本願は、コピー保護されたコンパクト・ディスクと、該ディスクを製造する方法及び無許可のコピー行為を防止する方法とに関する。本発明は、コピーされたディスクが有効にデータ破損されて再生不能になるように、以下の本発明の実施の形態で説明するように、任意の光ディスクの任意のリードイン・アイテムのコンテンツをディスクが均一でないように、任意の光ディスクの任意のリードイン・アイテムのコンテンツを変更する改善された方法を提供する。
【００２３】
ここで、均一リードインを有するコンパクト・ディスク（ＣＤ）の構造を概略的に表す図１ａ〜１ｅを参照する。ディスクの例が、明解かつ簡素であることのみを目的として、３つのオーディオ・トラック（トラック１〜３）を有するセッション１の後に単一のデータ・トラック（トラック４）を含むセッション２が続く２つのセッションを有するものとして示されている。
【００２４】
図１ｂは、セッション１に対するリードインの構造を示しており、リードインは、リードインの全長に亘って反復されるＡ０、Ａ１、Ａ２及びトラック・ポインタからなる均一コンテンツ・テーブル（ＴＯＣ）から構成されていることを示している。セッション２に対するＴＯＣ（図示せず）はセッション１と同様であるが、単一のデータ・トラックしか有しない。
【００２５】
図１ｃは、マルチセッション・ポインタ（Ｂ０及びＣ０）とともに、各ＴＯＣにおけるトリプレットを示している。図１ｄは、各トリプレットが３つのアイテムから構成されることを示している。均一リードインでは、トリプレットにおける各アイテムは同一である。図１ｅは、リードイン・アイテムにおけるフィールドを示している。
【００２６】
本発明者らは、セッション・リードインを変更することによって無許可のコピー行為からＣＤを保護することが可能であることを認識した。このコピー保護方法の１つの新規性は、このコピー保護方法によって製造されるディスクがＣＤ−Ｒディスクにこの技術を適用し、それによってＣＤ−Ｒディスクを保護するとともにＣＤ−ＲディスクがＰＣに抽出されないようにすることにある。現在の家庭用ＣＤ−Ｒ書き込みハードウェア及びソフトウェアでは生書き込みモードが使用可能なので、ＣＤ−Ｒ及びＣＤ−ＲＷディスク上でリードイン・コピー保護を実施するのに特別な修正は必要ない。
【００２７】
ＣＤにおける各セッションは、コンテンツ・テーブル（ＴＯＣ）の反復を含む１つのリードインを有する。
セッションのリードインが無効データを含んでいる場合、ＰＣはそれを適切に読み取ることができない場合がある。しかし、消費者ＣＤ再生システム（カープレーヤ、ブームボックス、ポータブル装置及びハイファイ・プレーヤ）は或る種の無効なリードイン・データを無視することができる。例えば、ディスクのオーディオ・セッションのリードインに対する或る種の変更により、ＰＣのＣＤ−ＲＯＭドライブがセッションを、したがってディスクを正しく解釈することは困難になるが、これらの変更はディスクを再生する消費者再生システムの能力には影響しない。
【００２８】
加えて、或るＣＤ読み取り装置はリードインの異なるオフセットを読み取ってＴＯＣを決定するので、ＴＯＣの特定のインスタンスは特定のプレーヤを目標とすることが可能になる。
【００２９】
本願では、「多様型」という用語は不均一であるとして定義される。多様型トリプレットは、少なくとも１つの無効なアイテム又は誤解させるアイテムを含むトリプレットであると定義される。多様型リードインは、少なくとも２つの同一でないＴＯＣを持つ、又は均一でない１つのＴＯＣにおける少なくとも１つのトリプレットを持つリードインであると定義される。
【００３０】
チャネルＱ
ＩＥＣ  ９０８によれば、サブコーディング・ブロックは、Ｓ０及びＳ１の同期パターンによって区切られた９８個の連続したＥＦＭフレームにおけるサブコーディング・シンボルから構成される。チャネルＱは、同期パターンに続く各サブコーディング・シンボルの２番目の最上位ビットである。ディスクのプログラム・エリアにおいては、チャネルＱは、一般に、絶対ディスク時間又はトラック時間のようなタイミング情報を含んでいる。しかし、リードインでは、チャネルＱはディスクのレイアウトに関する情報を含む。
【００３１】
表１は、リードインのために定義されたフィールドを使用したチャネルＱの単一のアイテム（ＩＴＥＭ）を表している。便宜上、フィールド名はＡＤＲ＝１又はＡＤＲ＝５の場合にしか有効ではないが、ビット位置を表すために使用される。
【００３２】
【表１】
2005512207.tif 000003
均一ＴＯＣ
図２は、所与のセッションにおける２つの連続する均一ＴＯＣの部分の概略図であって、選択されたフィールドを示している。同図において、また同図に基づくものにおいては、００ＸＸｂ及び０１ＸＸｂに対応するそれらの値の代わりに「ＡＵＤＩＯ」及び「ＤＡＴＡ」が使用される。分かり易くするために、この部分的な表はＡ０〜Ａ２ポインタ及びマルチセッション・ポインタを省略している。
【００３３】
Ａ０−Ａ２アイテム
トラック・ポインタに加え、リードインはＡ０−Ａ２アイテムを含み、ディスクの第１トラックの番号（Ａ０）と、最終トラックの番号（Ａ１）と、現在のセッションのリードアウトの開始時間（Ａ２）とを示す。これらのアイテムは、図３に示すように、標準トラック・ポインタの後に続く。
【００３４】
マルチセッション・ディスク
トラック・ポインタ及びＡ０−Ａ２ポインタに加え、マルチセッション・ディスクは、リンクされたリストでのセッション間のナビゲーションを可能にする別のポインタの組を有する。これらのポインタはマルチセッション・ポインタと呼ばれる。マルチセッション・ポインタは標準トラック・ポインタ６０間に交互に配置される。マルチセッション・ポインタは図４では太字で表され、６２及び６４で指示されている。
【００３５】
リードイン
均一リードインは、セッションを完全に記述するのに必要な最低数のアイテムであるコンテンツ・テーブル（ＴＯＣ）から構成される。均一ＴＯＣは均一トリプレットを含む。トリプレットは、ＰＯＩＮＴ境界に続く３つの同一の連続するアイテムから構成される。＊（図５）によって示される対応するフィールドの値が同一の場合、２つのアイテムは同一であると言われる。３つのすべてのアイテムが同一である場合、トリプレットは均一であると言われる。
【００３６】
本発明においては、リードインのＴＯＣうちの少なくとも２つが同一でないこと、又は、リードインのＴＯＣのうちの１つの少なくとも１つのトリプレットが均一でないことを意味する多様型に配列される有効なアイテム、誤解させるアイテム及び／又は無効なアイテムを含むように、リードインが変更される。
【００３７】
以下で説明するように、これらの特性により、ディスクを家庭用又は自動車用システムにとっては読み取り不能にすることなく、ディスクをＰＣにとっては無用とするようにリードインを変更することが可能になる。
【００３８】
リードインを変更する１つの方法は、トリプレットにおける全部のアイテムが均一であるわけではないようにアイテムを変更することである。
ここで、本発明の一つの実施の形態によりオーディオ・コンパクト・ディスク（ＣＤ）のコピー保護のためのシステムを示す図６を参照する。図６は、トリプレットが均一でないようにリードインの一部を変更することを示している。
【００３９】
図６の例では、３つの同一のＡＵＤＩＯアイテムの２番目のアイテム（図２ではＡ１ｂで示す）は、ＡＵＤＩＯの代わりにＤＡＴＡを示すよう変更されている（このトリプレットアイテムは太字で示されており、変更は文字「ａ」で示される）。図７に示す本発明の更なる一つの実施の形態では、３つの同一のＡＵＤＩＯアイテムの３番目のアイテム（図２ではＡ１ｃで示す）は、（４５の代わりに）５の無効ＣＲＣアイテムを示すよう変更されている。
【００４０】
本発明の更なる一つの実施の形態においては、均一トリプレットを維持しながら多様型ＴＯＣが作成される。当業者には理解されるように、不均一な（多様型）ＴＯＣを作成する多くの可能な方法が存在する。多様型ＴＯＣを使用したコピー保護の非限定的な例は、トラック番号を反復番号と比較し、それに従ってアイテムを修正すること、又は、ＰＴＩＭＥフィールドを公知の境界値と比較し、リードイン内の物理位置に従ってアイテムを修正することを含む。
【００４１】
図８は、リードインの一部（図２ではＡ１で、また図８では「ａ」で示す）がＤＡＴＡトリプレット（図８では「ｂ」で示す）に変更される本発明の一つの実施の形態を示している。
【００４２】
次に参照する図９は、トリプレットのポイント（ＰＴ）が正しい値２（図２ではＡ５）ではなく３（文字「ａ」で示される）に修正されている本発明の更なる一つの実施の形態を示している。
【００４３】
ここで、多様型ＴＯＣがアイテムのモード（ＡＤＲ）フィールド又はトリプレット全体を１、２又は５以外の値に設定することによって作成される本発明の更なる一つの実施の形態を示す図１０を参照する。図１０の実施の形態では、トリプレットのＡＤＲ（「ａ」で示す）は正しい値１ではなく８に設定される。
【００４４】
本発明の一つの実施の形態の更に別の一例では、誤解させるアイテムと有効アイテムの「チェッカーボード」パターンを作成することによって多様型ＴＯＣが生成される。次に図１１〜１３を参照すると、図１１は、有効ＡＵＤＩＯアイテムと誤解させるＤＡＴＡアイテムとを交互に配置することからなる「規則的な」チェッカーボードの例を示す。
【００４５】
図１１の例においては、１５個のオーディオ・トラックを有するディスクの保護は、交互のトラックをＡＵＤＩＯの代わりにＤＡＴＡ（ＡＤＲ／Ｃｔｒｌバイトのデータ・ビットを設定する）としてマークし、したがって誤解させるアイテムを作成することによって行われる。当業者には理解されるように、データ・ビットを設定する代わりに、誤解させるアイテムを作成する任意の他の方法も使用可能である。
【００４６】
図１２は、多様型ＴＯＣのランダム化されたチェッカーボードの例を示す。図１２の例においては、「規則的な」チェッカーボードが（図１１と同様に）最初に作成され、次いで、そのチェッカーボードがランダム化される。各トラックは、少なくとも１つのＡ（ＡＩＵＤＩＯ）と１つのＤ（ＤＡＴＡ）アイテムによって表される。
【００４７】
次に、部分的なチェッカーボードが作成される多様型ＴＯＣを使用する本発明の別の一つの実施の形態を示す図１３を参照する。この場合、少なくとも１つの保護されていない行（図１３に太字で示すＡＵＤＩＯアイテムの行）を含むという追加の修正によって、「規則的な」及び／又はランダム化されたチェッカーボードが作成される。
【００４８】
次に、多様型ＴＯＣを利用する本発明の更なる一つの実施の形態を示す図１４を参照する。図１４の例では、有効なＴＯＣがリードインのオフセット（列１１０）に作成される。データ・トラックを１つだけ含む多くの誤解させるＴＯＣが付加される（列１１２、１１４、１１６）。最後に、このシーケンスは単一の無効トリプレット（列１１８）で終了する。
【００４９】
当業者には理解されるように、ＴＯＣに対する変更と同様、変更は（例えば図６及び７を参照して上記で説明した）個々のトリプレットに対しても、独立に又は多様型トリプレットとＴＯＣとの任意の組合せの形態でも行い得る。
【００５０】
次に、多様型トリプレットと多様型ＴＯＣとの組合せを含むようリードインが変更される本発明の別の一つの実施の形態を示す図１５を参照する。図１５の例は、ＡＵＤＩＯアイテムがＤＡＴＡアイテムに修正された多様型トリプレット（文字「ａ」で示す）と、ＡＵＤＩＯトリプレットがＤＡＴＡトリプレットに修正された多様型ＴＯＣ（「ｂ」で示す）とを図示している。
【００５１】
次に、多様型トリプレットと多様型ＴＯＣとが同じリードインに適用される（「複合」ディスクとして知られる）本発明の更なる一つの実施の形態を示す図１６を参照する。このようなリードインはゾーンを含み、各ゾーンは共通変更アルゴリズムをそれぞれ共有する一連の連続したＴＯＣである。
【００５２】
図１６の例においては、第１のゾーン１２０は、すべて多様型であるトリプレットを含んでいる。第２のゾーン１２２は有効な均一ＴＯＣを含んでおり、第３のゾーンは（図１２、１３を参照して上で説明したチェッカーボードの実施の形態と同様の）チェッカーボード１２３を含んでいる。第４のゾーンでは、全部のアイテムは図１４を参照して上で説明したようなＤＡＴＡである。当業者ならば理解するように、これらの例は限定的ではなく、「複合」ディスクの任意のセッションに適用することができる。
【００５３】
次に、多様型ＴＯＣにおけるＡ０−Ａ２アイテムを変更することのできる本発明の更なる一つの実施の形態を示す図１７を参照する。トリプレット１２６が不均一になるよう制御フィールド（Ｃ／Ａ）を修正することができる。即ち、トリプレット１２６のＣ／Ａの部分が（図３のトリプレット５０における０１ｈでなく）４１ｈに修正される。
【００５４】
一つの実施の形態では、トリプレット１２６の処理に拘わらず、トリプレット１２８のＡ０−Ａ２アイテム（「ａ」で示す）を未変更のままにすることができる。
図１７の例は、Ａ０−Ａ２アイテムを変更する２つの代替法を更に示している。トリプレット１３０（「ｂ」で示す）においては、Ａ０−Ａ２アイテムは、トリプレット１２６を囲むトラック・ポインタと同じ方法で（「４１」へ）無効化され得る。トリプレット１３２においては、Ａ０−Ａ２アイテムは、Ｃ／Ａの部分が「４８」という誤解させる（且つ無効な）読みを与えるように変更されるよう、周囲のトラック・ポインタとは異なる方法で無効化され得る。
【００５５】
説明したように、トリプレットの３つのアイテムのうちの任意のアイテムを修正してよい。
この例はＡ０−Ａ２アイテムにより多様型トリプレットを表しているが、当業者には理解されるように、Ａ０−Ａ２アイテムは多様型ＴＯＣにも適用可能である。
【００５６】
次に、多様型ＴＯＣのマルチセッション・ポインタを変更することのできる本発明の更なる一つの実施の形態を示す図１８を参照する。図４を参照して上で説明したように、マルチセッション・ディスクは標準トラックポインタ６０間に交互に配置された一組のマルチセッション・ポインタ６２を有し、この一組のマルチセッション・ポインタ６２はリンクされたリストにおけるセッション間のナビゲーションを許容する。
【００５７】
一つの実施の形態では、トリプレット１３８、１４０の処理に拘わらず、（図４のマルチセッション・ポインタ６２と等価の）マルチセッション・ポインタ１３６（「ａ」で示す）は未変更のままとすることができる。トリプレット１３８、１４０の２つのＣ／Ａ値は、図４のマルチセッション・ポインタ６０における「０１」でなく「４１」に変更された。同様に、（図４のマルチセッション・ポインタ６４と等価の）マルチセッション・ポインタ１４２も変更されていない。
【００５８】
図１８の例は、マルチセッション・ポインタを変更する２つの代替方法を更に示している。トリプレット１４４（「ｂ」で示す）においては、マルチセッション・ポインタはトリプレット１４６、１４８の周囲のトラック・ポインタと同じ方法で無効化される。トリプレット１５０では、マルチセッション・ポインタは、「４８」という誤解させる（また無効な）読みを与えるようにＣ／Ａトリプレットの部分が変更されるよう、周囲のトラック・ポインタとは異なる方法で無効化される。トリプレットの３つのアイテムのうちの任意のアイテムの修正を行うことができる。
【００５９】
この例は多様型マルチセッション・トリプレットを示しているが、当業者には理解されるように、多様型ＴＯＣも同様に修正可能である。
次に、多様型ＴＯＣが多様型ＴＯＣと全て無効化されているマルチセッション・ポインタとを含む本発明の一つの実施の形態を例示する図１９を参照する。図１９の例においては、全ての変更はイタリック体で表されており、マルチセッション・ポインタは太字で表されている。第２オーディオ・トラック１５２は図示のいうに第２ＴＯＣに誤解させるＣｔｒｌを有しており（Ｃｔｒｌ＝４であり、ＡＵＤＩＯでなくＤＡＴＡを示す）、全てのＢ０マルチセッション・ポインタ１５４は無効ＡＤＲを有する（ＡＤＲ＝８）。
【００６０】
この種の修正は、全てのマルチセッション・ポインタがプログラム・エリアにおける誤った位置を指示する多様型トリプレットを有する多様型ＴＯＣに対して行うことができる。ここで、（図１６を参照して上で説明した）複合ディスクが多様型の方法で無効化されたマルチセッション・ポインタを含むこともできる本発明の一つの実施の形態を例示する図２０を参照する。例えば、図２０では、太い線１６０、１６２は無効化されたマルチセッション・ポインタを示している。
【００６１】
理解されるように、複合ディスクでは、異なるマルチセッション効果を各ゾーンに適用することができる。また、ゾーンによっては、第２セッションを有効に「隠して」マルチセッション・ポインタを完全に除去することができる。３つ以上のセッションを有するディスクでは、マルチセッション・ポインタを制限又は修正し、或いはマルチセッション・ポインタをゾーン毎に除去することによって、或るデバイス分野では中間セッションを隠すことができる。
【００６２】
次に、多様型ＴＯＣディスクを生成する方法の流れ図である図２１を参照する。
ＣＤ−Ｒ書き込み機は、無記録のＣＤ−Ｒがドライブの所定位置に挿入されており、生ＤＡＯモードで初期化されることを決定する（ステップ２０２）。キュー・シート（２０４）が読み取られ（ステップ２０６）、生成されるべきリードインのメモリ・イメージが作成される（ステップ２０８）。キュー・シートは、トラックに関してディスクのレイアウトを記述する。少なくとも、キュー・シートは、各トラックに対するフレームにおける絶対時間オフセットと全トラック数とを提供することができる。
【００６３】
連続するフレームのチャネルＱにおいてリードインが形成され、フレームのブロックにおいて書き込み機に提示される（ステップ２１０）。各フレームに対して、当該フレームに適用可能な多様性の形式を生成するアルゴリズムを適用することができる。正しいＱチャネルが、書き込み機に提示される生ストリームに配置される（ステップ２１２）。
【００６４】
リードインが書き込まれた後、イメージ・ファイル（２１４）を使用してプログラム・エリアが書き込まれる（ステップ２１６）。イメージ・ファイルは、ディスクの主チャネルを波形として含む４４．１Ｋサンプル／秒のステレオ（１６ビット／サンプル）ＰＣＭファイル、又は、データ・ディスクに対する２３５２バイト／セクタの生ＩＳＯファイルであり得る。サブチャネルは、通常、ＩＥＣ  ９０８のアルゴリズムに従ってフレーム毎に計算される。次いでリードアウトが書き込まれる（ステップ２１８）。
【００６５】
マルチセッション・ディスクでは、ステップ２０６〜２０８がセッション毎に反復される。
例えば第１セッションで使用するために有効オーディオＴＯＣを作成することは有用である。有効オーディオＴＯＣを作成する１つの方法は、ＴＯＣを順次に読み取ってＴＯＣの基本パラメータのみを決定することである。基本パラメータは多様性とは無関係に有効でなければならず、真のＴＯＣは、任意の有効トリプレットによって指示されるプログラム・エリア・エントリを読み取ることによって再現され得る。
【００６６】
ここで参照する図２２は、真のリードインを作成する方法の流れ図である。ＴＯＣが読み取られ（ステップ２５２）、ＴＯＣの場合はトリプレット毎にトリプレットが分析される（ステップ２５４）。トリプレットが均一でない場合（問い合わせボックス２５６）、そのトリプレットは破棄される（ステップ２５８）。
【００６７】
トリプレットが均一である場合、当該トリプレットによって指示されたＡＴｉｍｅが探索され、プログラムエリアにおけるＡＴｉｍｅでのＱチャネルが読み取られる（ステップ２６０）。次いで（Ａｔｉｍｅの前方及び後方の）フレームの分析（ステップ２６２）が行われる。例えば、１秒という期間は７５個のフレームに等価なので、Ａｔｉｍｅの両側を１秒だけ分析することによって、Ａｔｉｍｅの１秒以内にトリプレットと同じトラック番号を有するフレームを見つけることができる。しかし、分析をもっと長い期間にわたって行ってもよい。
【００６８】
したがって、例えば、（次の後方のフレームの）トラック番号（ＴＮＯ）がそれに続くフレームのトラック番号（ＴＮＯ）より１だけ小さくない場合（問い合わせボックス２６４）、そのトリプレットは破棄される（ステップ２５８）。トリプレットのＡＤＲ／Ｃｔｒｌフィールドがデータ・ビットの組を有するが、フレームは対応するデータ・ビットの組を有しない場合、そのビットはオーディオにリセットされる。トラック番号（ＴＮＯ）が正しい場合、トリプレットはＴＯＣのメモリ再構成のためにセーブされる（ステップ２６６）。
【００６９】
インスタンスが不完全な場合（例えば、Ａ０−Ａ２アイテムが、再構成されたＴＯＣより多くのトラック又は長いディスクを指示する場合）、ステップ２５４−２６６はＴＯＣの次のインスタンスに対して反復される。
【００７０】
完全で有効なＴＯＣが一度再構成されると、その再構成された有効ＴＯＣに従ってディスクが読み取られる。
代替の実施の形態においては、プログラム・エリア全体が２４４８バイトの生モードで読み取られ、主チャネル及び副チャネルが保存される。全体の読み取りに続き、ここで参照する図２３に示すアルゴリズムを使用して、チャネルＱが分析される。
【００７１】
ディスク全体は生モードで読み取られ（ステップ２８２）、フレームのチャネルＱが読み取られる（ステップ２８４）。フレームのトラック番号（ＴＮＯ）が前のフレームのトラック番号（ＴＮＯ）と比較される（問い合わせボックス２８６）。トラック番号（ＴＮＯ）が前のトラック番号（ＴＮＯ）と同じ場合、次のフレームが読み取られ（ステップ２８８）、ステップ２８４−２８６が反復される。トラック番号（ＴＮＯ）が前のフレームより大きい場合、新しいトラック番号と現在のフレームのＡＴｉｍｅとを持つＴＯＣエントリが作成される（ステップ２９０）。
【００７２】
次いで、ディスクの終わりまでステップ２８４−２９０が反復される（ステップ２９２）。そこで、各トラックは正しいモードでイメージから解釈される。
本明細書は、多様型リードインをオーディオ・ディスク又はマルチセッション・オーディオ・データ・ディスクのオーディオ部分に適用する例を説明したが、こうした全部の例は限定的ではない。
【００７３】
以上、本発明を限られた数の実施の形態に関して説明したが、理解されるように、本発明の多くの変形、修正及び他の応用が可能である。
【図面の簡単な説明】
【００７４】
【図１ａ−１ｅ】図１ａはコンパクト・ディスク（ＣＤ）の構造の従来技術を表す概略図である。図１ｂはコンパクト・ディスク（ＣＤ）の構造の従来技術を表す概略図である。図１ｃはコンパクト・ディスク（ＣＤ）の構造の従来技術を表す概略図である。図１ｄはコンパクト・ディスク（ＣＤ）の構造の従来技術を表す概略図である。図１ｅはコンパクト・ディスク（ＣＤ）の構造の従来技術を表す概略図である。
【図２】図１のＣＤの所与のセッションにおける２つの連続した均一ＴＯＣの部分の従来技術を表す概略図である。
【図３】図１のＣＤの標準トラック・ポインタの従来技術を表す概略図である。
【図４】図１のＣＤのマルチセッション・ポインタの従来技術を表す概略図である。
【図５】図１のＣＤの均一トリプレットを含む均一ＴＯＣの従来技術を表す概略図である。
【図６】本発明の一つの実施の形態によるオーディオ・コンパクト・ディスク（ＣＤ）のコピー保護のためのシステムの概略図である。
【図７】本発明の更なる一つの実施の形態によるオーディオ・コンパクト・ディスク（ＣＤ）のコピー保護のためのシステムの概略図である。
【図８】本発明の更なる一つの実施の形態によるオーディオ・コンパクト・ディスク（ＣＤ）のコピー保護のためのシステムの概略図である。
【図９】本発明の更なる一つの実施の形態によるオーディオ・コンパクト・ディスク（ＣＤ）のコピー保護のためのシステムの概略図である。
【図１０】本発明の更なる一つの実施の形態によるオーディオ・コンパクト・ディスク（ＣＤ）のコピー保護のためのシステムの概略図である。
【図１１】本発明の更なる一つの実施の形態によるオーディオ・コンパクト・ディスク（ＣＤ）のコピー保護のためのシステムの概略図である。
【図１２】本発明の更なる一つの実施の形態によるオーディオ・コンパクト・ディスク（ＣＤ）のコピー保護のためのシステムの概略図である。
【図１３】本発明の一つの実施の形態によるオーディオ・コンパクト・ディスク（ＣＤ）のコピー保護のためのシステムの概略図である。
【図１４】本発明の更なる一つの実施の形態によるオーディオ・コンパクト・ディスク（ＣＤ）のコピー保護のためのシステムの概略図である。
【図１５】本発明の更なる一つの実施の形態によるオーディオ・コンパクト・ディスク（ＣＤ）のコピー保護のためのシステムの概略図である。
【図１６】本発明の更なる一つの実施の形態によるオーディオ・コンパクト・ディスク（ＣＤ）のコピー保護のためのシステムの概略図である。
【図１７】本発明の更なる一つの実施の形態によるオーディオ・コンパクト・ディスク（ＣＤ）のコピー保護のためのシステムの概略図である。
【図１８】本発明の更なる一つの実施の形態によるオーディオ・コンパクト・ディスク（ＣＤ）のコピー保護のためのシステムの概略図である。
【図１９】本発明の更なる一つの実施の形態によるオーディオ・コンパクト・ディスク（ＣＤ）のコピー保護のためのシステムの概略図である。
【図２０】本発明の更なる一つの実施の形態によるオーディオ・コンパクト・ディスク（ＣＤ）のコピー保護のためのシステムの概略図である。
【図２１】本発明の一つの実施の形態による多様型ＴＯＣディスクを生成する方法の流れ図である。
【図２２】本発明の一つの実施の形態による真のリードインを作成する技術の流れ図である。
【図２３】本発明の更なる一つの実施の形態による真のリードインを作成する更なる技術の流れ図である。
【図１ａ−１ｅ】
2005512207.tif 000004
【図２】
2005512207.tif 000005
【図３】
2005512207.tif 000006
【図４】
2005512207.tif 000007
【図５】
2005512207.tif 000008
【図６】
2005512207.tif 000009
【図７】
2005512207.tif 000010
【図８】
2005512207.tif 000011
【図９】
2005512207.tif 000012
【図１０】
2005512207.tif 000013
【図１１】
2005512207.tif 000014
【図１２】
2005512207.tif 000015
【図１３】
2005512207.tif 000016
【図１４】
2005512207.tif 000017
【図１５】
2005512207.tif 000018
【図１６】
2005512207.tif 000019
【図１７】
2005512207.tif 000020
【図１８】
2005512207.tif 000021
【図１９】
2005512207.tif 000022
【図２０】
2005512207.tif 000023
【図２１】
2005512207.tif 000024
【図２２】
2005512207.tif 000025
【図２３】
2005512207.tif 000026
【国際調査報告】
2005512207.tif 000027
2005512207.tif 000028
2005512207.tif 000029